(57)【特許請求の範囲】
【請求項１】
多数のディスク状カッターを駆動軸上に配置した一対の縦切り用カッターの噛合部で書類を縦切りする縦切り細断部と、スパイラル状の細断刃を有する横切り用回転カッターと平刃の横切り用固定カッターとを有し該縦切りされた書類をさらに横切り細断する横切り細断部とからなる細断機構を有するシュレッダーであって、縦切り用カッターの逆回転時にも横切り用回転カッターが正回転するようにしたことを特徴とするシュレッダー。
【請求項２】
横切り用回転カッターの駆動軸に逆転防止手段を介してギアを取り付け、縦切り用カッタの一方の駆動軸に取付けたギアと噛合させて縦切り用カッターが正回転するときには横切り用回転カッターが同期して正回転し、縦切り用カッターが逆回転するときには逆転防止手段が空転するようにすると共に、横切り用回転カッターの駆動軸に逆転防止手段を介して別のギアを取り付け、縦切り用カッターの他方の駆動軸に取付けたギアと噛合させて縦切り用カッターが正回転するときには該逆転防止手段が空転し、縦切り用カッターが逆回転するときには横切り用回転カッターが正回転するようにした請求項１記載のシュレッダー。
【請求項３】
逆転防止手段がワンウェイクラッチである請求項２記載のシュレッダー。
【請求項４】
各駆動軸に取付けたギアの歯数を、縦切り用カッターの正回転時より逆回転時の方が減速比が大きくなるように設定した請求項２または請求項３記載のシュレッダー。
【請求項５】
横切り用回転カッターを縦切り用カッターの駆動モーターと別の駆動モーターで駆動し、横切り用回転カッターが常に正回転するようにした請求項１記載のシュレッダー。
【請求項６】
少なくとも一方の駆動モーターを可変速モーターとし、制御装置を介して両駆動モーターの回転数比を変更できるようにした請求項５記載のシュレッダー。
【発明の詳細な説明】
【０００１】
【発明の属する技術分野】
本発明は、事務処理等において大量に発生する廃棄書類等を細断するシュレッダーの改良に関するもので、縦切り細断部と横切り細断部とを有するシュレッダーにおいて、過負荷時における横切り細断部の逆回転を完全に回避して、特に横切り刃の寿命を延ばすようにしたシュレッダーを提供するものである。
【０００２】
【従来の技術】
近年、事務処理のＯＡ化の急速な進展に伴い、コピー機やプリンターなどによって大量の書類が発生し、不要になった書類の廃棄処理が問題となっている。そのため書類を細断するシュレッダーの需要が高まり、特に、細断屑の嵩を小さくして屑の収容力を高めると共に、機密性の要求から細断屑の寸法をより小さくすることを求める傾向がある。
【０００３】
また、一度に多量の書類を細断することが要求されるが、細断能力以上の書類を細断しようとする場合には、安全のため過負荷保護装置が働いて駆動モーターを自動的に逆回転させ、書類等を吐出するような構造が採用されることが多い。
【０００４】
従来のシュレッダーの細断部について説明すると、例えば図４（Ａ）（Ｂ）に示すように、多数のディスク状カッターを同心軸上に配置した一対の縦切り用カッター（ａ１）、（ａ１）を噛み合わせて、廃棄書類（Ｐ）等を細長いヌードル状に縦切りする縦切り細断部（ａ）と、スパイラル状に細断刃を配した横切り用回転カッター（ｂ１）とこれと対向する平刃の横切り用固定カッター（ｂ２）とを有し該縦切りされた書類等をさらに横切り細断する横切り細断部（ｂ）とからなり、この縦切り細断部（ａ）と横切り細断部（ｂ）で細断機構（ｃ）を構成している。また、駆動モーター（ｄ）の駆動力は、縦切り用カッター（ａ１）の一側に取付けたギア群（ｅ）を介して上記一対の縦切り用カッター（ａ１）に伝達され、互いに対向回転して縦切り細断可能とすると共に、さらに他側に設けられたギア群（ｆ）によって上記横切り用回転カッター（ｂ１）にこの駆動力が伝達され、上記縦切り細断部（ａ）と同期して横切り細断部（ｂ）が回転駆動する構造となっている。
【０００５】
そして、同図（Ｂ）に示すように、縦切り細断部（ａ）で細長いヌードル状に細断された廃棄書類（Ｐ）は、下段の横切り用回転カッター（ｂ１）のスパイラル状凹溝内に誘導され該横切り用回転カッター（ｂ１）と横切り用固定カッター（ｂ２）とでさらに横切り細断され、短冊状の細断屑（Ｑ）となって下方に排出される。
【０００６】
かかる構造のシュレッダーに細断能力以上の書類を供給した場合等には、上述した過負荷保護装置（図示せず）の作動によって駆動モーター（ｄ）が逆回転して書類を吐出しようとする。このとき、駆動モーター（ｄ）、縦切り用カッター（ａ１）、横切り用回転カッター（ｂ１）はそれぞれギア群（ｅ）、（ｆ）で直結されているので、縦切り用カッター（ａ１）や横切り用回転カッター（ｂ１）も逆回転することになる。そのため、横切り用回転カッター（ｂ１）のスパイラル状凹溝内に溜まった細断屑（Ｑ）が横切り用回転カッターが逆回転することによって逆流し、横切り用回転カッター（ｂ１）と横切り用固定カッター（ｂ２）の間に詰まるという不都合があった。このため、横切り用固定カッター（ｂ２）に負荷がかかりその位置ずれを起こすなどして横切り細断ができなくなるという問題を有していた。
【０００７】
このため、図５や特開平１１−１６９７３７号公報に示されているように、横切り用回転カッター（ｂ１）の駆動部に逆転防止手段、例えばワンウェイクラッチ（ｇ）や、正回転しかしないカムクラッチを有するギア（ｉ）を取付けて、縦切り用カッター（ａ１）が正回転するときはワンウェイクラッチ（ｇ）等によって横切り用回転カッター（ｂ１）も正回転するが、過負荷時など縦切り用カッター（ａ１）が逆回転するときには、ワンウェイクラッチ（ｇ）等が空転して横切り用回転カッター（ｂ１）が回転を停止するような機構を採用したものが提案されている。
【０００８】
【発明が解決しようとする課題】
しかしながら、かかる構造の従来のシュレッダーは、過負荷時などには横切り用回転カッターが停止するだけであるから、横切り細断途中の書類が該横切り用回転カッター部分に滞留したままで排出されず、また、縦切り用カッターの逆回転に伴い書類が逆に引っ張られるので、横切り用回転カッターと横切り用固定カッターのかみ合わせ部分に悪影響を及ぼすおそれがあった。
【０００９】
本発明は、過負荷等により縦切り用カッターが逆回転するときも、横切り用回転カッターを正回転させることで横切り細断を継続し、横切り用回転カッターに滞留した細断屑を素早く排出して細断部のつまりを防止するようにしたシュレッダーを提供するものである。
【００１０】
【課題を解決するための手段】
上記課題を解決するため、請求項１に記載した発明は、多数のディスク状カッターを駆動軸上に配置した一対の縦切り用カッターの噛合部で書類を縦切りする縦切り細断部と、スパイラル状の細断刃を有する横切り用回転カッターと平刃の横切り用固定カッターとを有し該縦切りされた書類をさらに横切り細断する横切り細断部とからなる細断機構を有するシュレッダーであって、縦切り用カッターの逆回転時にも横切り用回転カッターが正回転するようにするという手段を採用した。
【００１１】
従って、縦切り用カッターが正回転する通常使用時には横切り用回転カッターが正回転して横切り細断を行うと共に、縦切り用カッターの逆回転時にも横切り用回転カッターは正回転して横切り細断を継続し、横切り用回転カッターの歯間に滞留した細断屑は素早く細断、排出される。
【００１２】
そして具体的には、請求項１に記載したシュレッダーにおいて、横切り用回転カッターの駆動軸に逆転防止手段を介してギアを取り付け、縦切り用カッタの一方の駆動軸に取付けたギアと噛合させて縦切り用カッターが正回転するときには横切り用回転カッターが同期して正回転し、縦切り用カッターが逆回転するときには逆転防止手段が空転するようにすると共に、横切り用回転カッターの駆動軸に逆転防止手段を介して別のギアを取り付け、縦切り用カッターの他方の駆動軸に取付けたギアと噛合させて縦切り用カッターが正回転するときには該逆転防止手段が空転し、縦切り用カッターが逆回転するときには横切り用回転カッターが正回転するようにするという手段を採用した。
【００１３】
またこのとき、請求項３に記載の発明は、上記逆転防止手段をワンウェイクラッチとするという手段を採用した。
【００１４】
横切り用回転カッターの駆動軸にそれぞれ同じ方向に作動するワンウェイクラッチの逆転防止手段を介して２つのギアを取り付け、縦切り用カッターの互いに逆方向に回転している各駆動軸に取付けたギアとそれぞれ噛合させて同期回転するようにしたので、縦切り用カッターが正回転、逆回転の何れの場合にも、横切り用回転カッターは常に正回転するようになり、横切り細断が継続して行われ、横切り用回転カッターに細断屑が詰まることがなくなった。
【００１５】
また請求項４に記載した発明は、請求項２または請求項３記載のシュレッダーにおいて、各駆動軸に取付けたギアの歯数を、縦切り用カッターの正回転時より逆回転時の方が減速比が大きくなるように設定するという手段を採用した。
【００１６】
かかるギア比の選択設定によって、縦切り用カッターの逆回転時には、横切り用回転カッターが通常時より強いトルクで回転することになり、通常時には細断できなかった書類も横切り細断できるようになった。
【００１７】
一方、請求項５に記載の発明は、上記請求項１記載のシュレッダーにおいて、横切り用回転カッターを縦切り用カッターの駆動モーターと別の駆動モーターで駆動し、横切り用回転カッターが常に正回転するようにするという手段を採用した。
【００１８】
横切り用回転カッターを別の駆動モーターで駆動するので、縦切り用カッターの回転方向に関係なく常に正回転して横切り細断を継続し、細断屑が滞留するのを防止できる。
【００１９】
そして、請求項６に記載の発明は、請求項５に記載のシュレッダーにおいて、少なくとも一方の駆動モーターを可変速モーターとし、制御装置を介して両駆動モーターの回転数比を変更できるようにするという手段を採用した。
【００２０】
制御装置によって回転数比を変化させることで、横切り用回転カッターに誘導される書類の長さが変化し、細断屑の長さを任意に調節できるようになる。
【００２１】
【発明の実施の形態】
以下、本発明にかかるシュレッダーの好ましい実施の形態を図面について説明する。図３は本案シュレッダーの全体側面図で、廃棄書類（Ｐ）を細断するためのものである。該シュレッダーは前面（図では左側）に開閉自在な扉１を有する筺体２に形成され、上面には廃棄書類の投入口３が設けられている。筺体２の内部は、上段に細断機構が配置され、下段には細断屑（Ｑ）を収納する屑箱４が出し入れ自在に配置されている。この細断機構は、駆動モーター５で駆動し、多数のディスク状カッターを噛合させた一対の縦切り用カッターで書類を縦切りする縦切り細断部６と、横切り用回転カッターと横切り用固定カッターとで縦切り細断された書類をさらに横切り細断する横切り細断部７とで構成されている。また、図１（Ａ）は上記細断機構の平面概略図、同図（Ｂ）はその側面図である。なお、電源部や制御部、各種スイッチ類等は図示を省略している。
【００２２】
これらの図において、８（８ａ、８ｂ）は多数のディスク状カッターをそれぞれ駆動軸９（９ａ、９ｂ）上に配置した一対の縦切り用カッターで、相互に対向回転して噛合部で廃棄書類（Ｐ）をヌードル状に縦切りする縦切り細断部６を構成するものである。各駆動軸９ａ、９ｂの左端には駆動ギア１０（１０ａ、１０ｂ）が互いに噛合して取付けられ、縦切り用カッター８が同期して対向回転するようにし、さらに一方の駆動軸９ｂにはギア１１が取付けられ、駆動モーター５に取付けられたギア１２と噛合して、駆動モーター５の駆動力を縦切り用カッター８に伝達している。
【００２３】
１３はスパイラル状に数条の細断刃を有する横切り用回転カッターで、上記縦切り用カッター８の下段に配置され、駆動軸１４によって回転して、その刃面に対向して設置した平刃の横切り用固定カッター１５とで横切り細断部７を構成し、上記縦切りされた書類をさらに短冊状に横切り細断するものである。この駆動軸１４の右端には、逆転防止手段としてのワンウェイクラッチ１６を介してギア１７が取付けられ、前記一方の縦切り用カッター８ａの駆動軸９ａの右端に取付けたギア１８と噛合して縦切り用カッター８が正回転（書類を縦切り細断する方向の回転を「正回転」という。）するときには、横切り用回転カッター１３を同期して正回転（書類を横切り細断する方向の回転）するようにし、縦切り用カッター８が逆回転（書類を吐出する方向の回転）するときには、ワンウェイクラッチ１６が空転するようにしている。
【００２４】
また、１９は駆動軸１４の右端に上記ワンウェイクラッチ１６と同方向に作動するワンウェイクラッチ２０を介して取付けたもう一つのギアで、他方の縦切り用カッター８ｂの上記駆動軸９ａとは逆方向に回転している駆動軸９ｂの右端に取付けたギア２１と噛合し、縦切り用カッター８が正回転するときにはワンウェイクラッチ２０が空転し、縦切り用カッター８が逆回転するときには、横切り用回転カッター１３が正回転するようにしている。
【００２５】
即ち、ワンウェイクラッチ１６、２０をそれぞれ内蔵する２つのギア１７、１９によって、縦切り用カッター８が正回転、逆回転の何れの場合にも横切り用回転カッター１３は正回転して、横切り細断を継続することになるのである。従って、横切り用回転カッター１３の歯間に滞留した細断屑（Ｑ）は縦切り用カッター８が逆回転するときにも素早く細断、排出され、細断屑のつまりを確実に防止できるものとなっている。
【００２６】
なお、上例では横切り用回転カッター１３の逆転防止手段としてワンウェイクラッチを例示しているが、これに限定されるものではなく、縦切り用カッター８が正回転、逆回転の何れの場合にも横切り用回転カッター１３を正回転させるような逆転防止手段であれば、例えばカムクラッチのようなものなど公知の手段を採用できる。
【００２７】
また、上記の場合、駆動軸９ａに取付けたギア１８の歯数を駆動軸１４に取付けたギア１７の歯数より多くし（ギア１８＞ギア１７）、駆動軸９ｂに取付けたギア２１の歯数を駆動軸１４に取付けたギア１９の歯数より少なく（ギア２１＜ギア１９）している。このため、縦切り用カッター８の逆回転時には、正回転時より減速比が大きくなって、横切り用回転カッター１３に大きなトルクが伝達されるようになるので、正回転時には細断できなかった書類も細断できるようになっている。
【００２８】
上記構成の本発明にかかるシュレッダーによれば、通常の使用時には廃棄書類を先ず縦切り用カッター８でヌードル状に細断し、次に横切り用回転カッター１３等でさらに短冊状に細断して、嵩の低い細断屑を下方に排出する。また、過負荷時など駆動モーター４が逆回転するときには、縦切り用カッター８は逆回転して書類を吐出する一方、横切り用回転カッター１３は２つのワンウェイクラッチの作用によって正回転を継続し、さらに、適当なギア比の選択によって通常より強いトルクで回転駆動するようにしているので、通常細断できなかった書類も横切り細断し、短冊状の細断屑を完全に下方に排出して、横切り用回転カッターの歯間には細断屑は滞留しないのである。そのため、横切り細断部に大きな負担がかかることがなく、該部の寿命が延びるのである。
【００２９】
次に、図２は本発明にかかるシュレッダーの他の実施の形態を示すものであって、横切り用回転カッターを別の駆動モーターによって駆動するようにしたものである。即ち、上記実施形態と共通する部材には同一の番号を付して説明すると、縦切り用カッター８は駆動モーター４からギア１２、１１を介して伝達された駆動力を駆動軸９ａ，９ｂ及び駆動ギア１０ａ、１０ｂで互いに同期して対向回転し、廃棄書類をヌードル状に縦切りする。一方、この縦切り用カッター８の下段に配置された横切り用回転カッター１３は、別の駆動モーター２２の駆動力を駆動ギア２３、２４により直接伝達されて常に正回転して、横切り用固定カッター１５とで横切り細断している。駆動モーター４と駆動モーター２２は図示しない制御装置によって互いに同期して回転させ通常の細断作業を行うが、過負荷時等には縦切り用カッター８が逆回転して書類を吐出するのに対し、横切り用回転カッター１３は常に正回転するように制御するのである。従って、縦切り用カッター８の逆回転時にも横切り細断を継続して、細断屑（Ｑ）を確実に排出するようにしているのである。
【００３０】
なお、上記駆動モーター４と駆動モーター２２は、いずれか一方、若しくは双方とも可変速モーターとして、制御装置によって互いの回転数比を変化させることで細断屑の長さを任意に変更することができるようにする。即ち、例えば縦切り用カッター８は定速回転し、横切り用回転カッター１３を可変速とした場合、横切り用回転カッター１３を遅く回転させると細断屑の長さが長くなり、速く回転させると細断屑の長さは短くなる。従って、廃棄書類の機密のレベルに応じて機密性の低いものは比較的粗く、また機密性の高いものは細かく細断するといった選択が可能となるものである。
【００３１】
【発明の効果】
以上述べたように、請求項１にかかる本発明のシュレッダーは、縦切り細断部と横切り細断部を有するシュレッダーにおいて、縦切り用カッターの逆回転時にも横切り用回転カッターは正回転するようにしたものであるから、縦切り用カッターが正回転する通常時には、横切り用回転カッターは正回転して横切り細断を行うと共に、縦切り用カッターの逆回転時にも横切り用回転カッターは正回転して横切り細断を継続し、横切り用回転カッターの歯間に滞留した細断屑は素早く細断、排出され、該部に詰まることがない。そのため、横切り用回転カッターと横切り用固定カッターの噛み合わせ部分に悪い影響を与えることがなくなり、該細断部の寿命が長くなった。
【００３２】
また、請求項２及び請求項３にかかるシュレッダーは、それぞれ同じ方向に作用するワンウェイクラッチを内蔵する２つのギアによって、縦切り用カッターが正回転、逆回転の何れの場合にも横切り用回転カッターを正回転させ、横切り細断を継続するようにしたものであるから、横切り用回転カッターの歯間に滞留する細断屑は縦切り用カッターが逆回転するときにも素早く細断、排出され、細断屑のつまりを確実に防止できるものである。
【００３３】
さらに請求項４にかかるシュレッダーは、上記シュレッダーにおいて各駆動軸に取付けたギアの歯数を、縦切り用カッターの逆回転時の方が減速比が大きくなるように設定したので、横切り用回転カッターに大きなトルクが伝達され、正回転時には細断できなかったような書類でも細断できるようになるという格別の効果が期待できるものとなった。
【００３４】
一方、請求項５にかかるシュレッダーは、横切り用回転カッターを別の駆動モーターで駆動するようにしたものであるから、横切り用回転カッターは常に正回転するようになり、縦切り用カッターの逆回転時にも横切り細断を継続して、細断屑を確実に排出できるようになる。
【００３５】
また、請求項６にかかるシュレッダーは、少なくともいずれか一方の駆動モーターを可変速モーターとしたので、制御装置によって互いの回転数比を変化させることで、横切り細断の細断屑の長さを任意に変更できるようになった。そのため、細断する書類の機密のレベルに応じて、機密性の低いものは横切り用回転カッターを遅く回転させて比較的粗く、また機密性の高いものは速く回転させて細かく細断することが可能となった。
【図面の簡単な説明】
【図１】本発明にかかるシュレッダーの実施形態の一例を示すもので、（Ａ）はその細断機構の平面概略図、（Ｂ）は側面図である。
【図２】他の実施形態の例を示す平面図及び側面図である。
【図３】シュレッダーの全体の側面図である。
【図４】従来のシュレッダーの細断部の平面図及び側面図である。
【図５】従来のシュレッダーの細断部の他の例を示す平面図及び側面図である。
【符号の説明】
１    扉
２    筺体
３    投入口
４    屑箱
５    駆動モーター
６    縦切り細断部
７    横切り細断部
８    縦切り用カッター
９    駆動軸
１０    駆動ギア
１１    ギア
１２    ギア
１３    横切り用回転カッター
１４    駆動軸
１５    横切り用固定カッター
１６    ワンウェイクラッチ
１７    ギア
１８    ギア
１９    ギア
２０    ワンウェイクラッチ
２１    ギア
２２    駆動モーター
２３    駆動ギア
２４    駆動ギア
【図１】
0004620840.tif 000002
【図２】
0004620840.tif 000003
【図３】
0004620840.tif 000004
【図４】
0004620840.tif 000005
【図５】
0004620840.tif 000006